(57)【要約】【課題】進退動作をする検知部材への通電性を向上し、構造を簡素化して、生産性向上、作動耐久性向上を図ること。【解決手段】断面円形の電極本体１０に、大径孔１７と小径孔１８が形成され、大径孔１７に主案内筒２０がはめ込まれ、小径孔１８に副案内筒２３がはめ込まれ、断面円形の主検知部材２７が、主案内筒２０内に摺動可能な状態ではめ込まれ、主検知部材２７と一体化されている断面円形の副検知部材２８が、副案内筒２３内に摺動可能な状態ではめ込まれ、副検知部材２８は電極本体１０の加圧端面２４よりも突き出るようにその長さが設定され、平坦な通電端面１９が主検知部材２７の端部に形成され、大径孔１７の内端部の通電端子板３１と通電端面１９との間に圧縮コイルスプリング３４が挿入され、通電端子板３１と電極本体１０に検知電流の導通線３２、３３が結線してある。【選択図】図１
2020131285.tif 000002
【特許請求の範囲】
【請求項１】
断面円形とされ導通性金属材料で構成された電極本体に、少なくとも大径孔と小径孔が形成され、
大径孔に絶縁性合成樹脂材料で構成された断面円形の主案内筒がはめ込まれているとともに、大径孔よりも小径の小径孔に絶縁性合成樹脂材料で構成された断面円形の副案内筒がはめ込まれ、
導通性金属材料で作られた断面円形の主検知部材が、主案内筒内に摺動可能な状態ではめ込まれ、
主検知部材よりも小径で断面円形とされているとともに、主検知部材と一体化されている導通性金属材料で作られた断面円形の副検知部材が、副案内筒内に摺動可能な状態ではめ込まれ、
進出作動前の待機状態において、副検知部材は電極本体の加圧端面よりも突き出るようにその長さが設定され、
主検知部材への通電性を良好にする平坦な通電端面が主検知部材の端部に形成され、
大径孔の内端部に絶縁状態で配置された通電端子板と主検知部材の通電端面との間に圧縮コイルスプリングが挿入されており、
通電端子板と電極本体に検知電流の導通線が結線してあることを特徴とする電気抵抗溶接電極。
【発明の詳細な説明】
【技術分野】
【０００１】  この発明は、相手方電極に部品がセットされていないことを検知する、電気抵抗溶接電極に関している。
【背景技術】
【０００２】  特開平１０−５８１５８号公報には、相手方電極にプロジェクションボルトなどの部品が正しくセットされていないことを検知する電極が記載されている。
【先行技術文献】
【特許文献】
【０００３】
【特許文献１】特開平１０−５８１５８号公報
【発明の概要】
【発明が解決しようとする課題】
【０００４】  上記特許文献には、相手方電極に部品が正しく保持されているときには、正常に溶接電流が通電されて溶接が完了し、もしも、部品が相手方電極に保持されていないときには、部品不存在を検知することが記載されている。【０００５】  特許文献１に記載されている電気抵抗溶接電極は、電極本体内を進退する検知用部品が、合成樹脂製の摺動部材、金属製の検知ピン、ワッシャ、ボルトなど、複数の部品が複雑に組み合わされたものなので、コイルスプリングの着座性が不安定になって、この部分において通電不良が発生したり、複数部品間の導通性が不良になったり、複数部品の組立工数が増加したりして、生産性が向上しない、という問題がある。【０００６】  本発明は、上記の問題点を解決するために提供されたもので、進退動作をする検知部材への通電性を向上し、構造を簡素化して、生産性向上、作動耐久性向上などを実現することを目的とする。
【課題を解決するための手段】
【０００７】  請求項１記載の発明は、
断面円形とされ導通性金属材料で構成された電極本体に、少なくとも大径孔と小径孔が形成され、
大径孔に絶縁性合成樹脂材料で構成された断面円形の主案内筒がはめ込まれているとともに、大径孔よりも小径の小径孔に絶縁性合成樹脂材料で構成された断面円形の副案内筒がはめ込まれ、
導通性金属材料で作られた断面円形の主検知部材が、主案内筒内に摺動可能な状態ではめ込まれ、
主検知部材よりも小径で断面円形とされているとともに、主検知部材と一体化されている導通性金属材料で作られた断面円形の副検知部材が、副案内筒内に摺動可能な状態ではめ込まれ、
進出作動前の待機状態において、副検知部材は電極本体の加圧端面よりも突き出るようにその長さが設定され、
主検知部材への通電性を良好にする平坦な通電端面が主検知部材の端部に形成され、
大径孔の内端部に絶縁状態で配置された通電端子板と主検知部材の通電端面との間に圧縮コイルスプリングが挿入されており、
通電端子板と電極本体に検知電流の導通線が結線してあることを特徴とする電気抵抗溶接電極である。
【発明の効果】
【０００８】  相手方電極に部品が正常に保持されているときには、導通線、通電端子板、圧縮コイルスプリング、通電端面、主検知部材と副検知部材からなる検知部材、部品の一部、電極本体、導通線からなる導通回路が形成されるので、この導通によって部品が正常に相手方電極に保持されていることが確認され、この確認信号をトリガーにして溶接電流の通電がなされて、溶接が完了する。【０００９】  検知部材は、主検知部材と副検知部材によって形成された簡素化された構造であるから、細長い金属素材に切削加工を施したり、主検知部材に副検知部材を結合したりして、簡単に製作することができる。上記のような製作方法を採用することによって、主検知部材から副検知部材への導電性が確実なものとなる。【００１０】  導通性金属材料で作られた主検知部材と副検知部材の形状は、主検知部材を円柱型とし、副検知部材を主検知部材よりも小径の丸棒型にすることができる。したがって、金属製の検知部材を大径部材と小径部材からなる簡素化された形状とすることができる。また、このように簡素化された形状の検知部材が、絶縁性合成樹脂材料で構成された主案内筒と副案内筒内に収容されているので、電極本体内には合成樹脂製の筒状部材と金属製の円柱・丸棒状部材が収容され、電極全体としての構造が簡素化される。【００１１】  主検知部材の端部に形成された通電端面は平坦な形状であるから、圧縮コイルスプリングの着座状態が密着性の良好なものとなり、圧縮コイルスプリングから主検知部材への通電性が良好なものとなる。主検知部材と副検知部材は、それぞれ主案内筒と副案内筒内を摺動するものであるから、検知部材の進退案内が確実に果たされるとともに、確実な絶縁性が確保できる。【００１２】  電極本体側の絶縁構造が、絶縁性合成樹脂材料製の主案内筒と副案内筒によるものであるから、両案内筒を簡素な形状の筒状部材で構成することができ、構造簡素化において効果的である。主案内筒と副案内筒が電極本体内に静止状態ではめ込まれ、両案内筒内を簡素化された形状の主検知部材と副検知部材が摺動する。このため、両検知部材の進退動作が円滑に達成され、電極としての作動信頼性が向上する。【００１３】  相手方電極に部品が存在しないときには、電極進出の際に、突出している副検知部材が部品に加圧されないので、上述のような部品を介した通電回路が不成立となって、部品欠如が検知され、溶接動作の停止が確実になされる。
【図面の簡単な説明】
【００１４】
【図１】電極の断面図や検知部材の斜視図である。
【図２】主検知部材の部分的な断面図である。
【図３】主検知部材と副検知部材の結合構造を示す断面図である。
【発明を実施するための形態】
【００１５】  つぎに、本発明の電気抵抗溶接電極を実施するための形態を説明する。
【実施例】
【００１６】  図１〜図３は、本発明の実施例を示す。【００１７】  最初に、部品について説明する。【００１８】  ここでの部品は、鉄製のプロジェクションボルト１である。雄ねじが切られた軸部２と、軸部２と一体化されている平板状で円形のフランジ３と、軸部２側のフランジ面に設けられた複数の溶着用突起４から構成されている。溶着用突起４は、同一円上に１２０度間隔で３個設けてある。以下の説明において、プロジェクションボルトを単にボルトと表現する場合もある。【００１９】  固定電極５には、軸部２の受入孔６が開けてある。固定電極５上に平坦な鋼板部品７が載置され、鋼板部品７に開けた下孔８が受入孔６に同軸状態で連通している。ボルト１を下孔８や受入孔６に挿入するのは、進退式の供給ロッドや作業者の手作業などで行われる。【００２０】  つぎに、電極本体について説明する。【００２１】  クロム銅のような銅合金製導電性材料で作られた電極本体１０は、円筒状の形状であり、断面円形とされ、エアシリンダなどの進退駆動手段１１に結合される円筒状の第１部材１２と、円筒状の第２部材１３と、円形の第３部材１４から構成されている。第１部材１２と第２部位１３はねじ部１５で一体化され、第２部材１３と第３部材１４はねじ部１６で一体化されている。電極本体１０には、少なくとも断面円形の大径孔１７と、それに連続している小径孔１８が形成されている。大径孔１７は、第１部材１２と第２部材１３に設けられ、小径孔１８は、第３部材１４に設けられている。上記のように電極本体１０は、可動電極の主要な構成部材となっている。【００２２】  つぎに、案内筒について説明する。【００２３】  大径孔１７に、絶縁性合成樹脂材料で構成された主案内筒２０がはめ込んである。主案内筒２０の底板２１に、通孔２２が設けてある。この絶縁性合成樹脂材料には、例えば、ポリテトラフルオロエチレン（テフロン・登録商標）が用いてあり、他の材料としては、ポリアミド樹脂の中から、耐熱性、耐摩耗性にすぐれた合成樹脂材料を採用することも可能である。また、小径孔１８に、絶縁性合成樹脂材料で構成された副案内筒２３がはめ込んである。この絶縁性合成樹脂材料には、例えば、ポリテトラフルオロエチレン（テフロン・登録商標）が用いてあり、他の材料としては、ポリアミド樹脂の中から、耐熱性、耐摩耗性にすぐれた合成樹脂材料を採用することも可能である。【００２４】  第３部材１４は、平坦な加圧端面２４が形成された電極の端部材であり、加圧端面２４が加圧で摩耗したり変形したりすると、交換するようになっている。加圧端面２４の中央に開口し副案内筒２３に連通している連通孔２５が第３部材１４に設けてある。【００２５】  つぎに、検知部材について説明する。【００２６】  導通性金属材料で作られた断面円形の主検知部材２７が、主案内筒２０内に摺動可能な状態ではめ込まれている。主検知部材２７は、円柱状の部材で構成され、その端部に平坦な通電端面１９が形成してある。主検知部材２７よりも小径で断面円形とされているとともに、主検知部材２７と一体化されている導通性金属材料で作られた断面円形の副検知部材２８が、副案内筒２３内に摺動可能な状態ではめ込まれている。副検知部材２８は、丸棒��の部材で構成されている。主検知部材２７、副検知部材２８を構成している導電性金属材料としては、ステンレス鋼が用いてある。主検知部材２７と副検知部材２８は、１本の素材に切削加工を施して形成してある。【００２７】  連通孔２５の内径は、副検知部材２８の直径よりも大きく設定してあり、こうすることによって副検知部材２８と連通孔２５の間に、絶縁空隙２６が形成されている。【００２８】  大径孔１７の最奥部である内端部にカップ状の絶縁部材３０がはめ込んであり、その中に銅合金製で平板状の通電端子板３１が組み込んである。検知電流の導通線３２が、通電端子板３１に接合してある。もう一方の導通線３３は、電極本体１０の外側面に結合してある。【００２９】  通電端子板３１と通電端面１９の間に、圧縮コイルスプリング３４が挿入され、その張力は、主検知部材２７の下端面が底板２１に押し付けられることによって、受け止められている。圧縮コイルスプリング３４は、平坦な通電端面１９と平坦な通電端子板３１に着座しているので、導通性が良好になっている。【００３０】  電極の進出作動前の待機状態において、副検知部材２８が電極本体１０の加圧端面２４よりも突き出るようにその長さが設定されている。その突出長さは、符号Ｌで示してある。【００３１】  主検知部材２７に、合成ゴム製のＯリング３５がはめ込まれて、導通性に支障をきたすような不純物が圧縮コイルスプリング３４の導通箇所に到達しないようにしてある。【００３２】  上記実施例では、可動電極側に検知部材や案内筒などを組み込んだ場合を示したが、これらの部材を固定電極側に配置することも可能である。【００３３】  図２に示した変形例は、主検知部材２７の端面に浅い窪み凹部を設けて、そこに平坦な通電端面１９を形成したものであり、圧縮コイルスプリング３４のずれ防止が図られている。【００３４】  図３に示した変形例は、主検知部材２７に副検知部材２８をねじ込んで溶接したもので、黒く塗り潰した箇所が溶着部３７である。【００３５】  つぎに、作動を説明する。【００３６】  図１（Ａ）に示す状態は、ボルト１が鋼板部品７の下孔８と固定電極５の受入孔６に挿入され、副検知部材２８が突出した状態の待機状態である。このときには、絶縁空隙２６によって副検知部材２８と第３部材１４は導通していない。すなわち、主検知部材２７と副検知部材２８は、主案内筒２０と副案内筒２３内に収容され、しかも絶縁空隙２６が設置してあるので、導通線３２から圧縮コイルスプリング３４をへて主検知部材２７と副検知部材２８に流れた検知電流は、電極本体１０へ通電されない。【００３７】  この状態から電極が進出すると、副検知部材２８の先端がフランジ３に突き当たり、副検知部材２８は圧縮コイルスプリング３４を縮めながら電極本体１０内へ相対的に後退する。さらに、図１（Ａ）の２点鎖線図示のように、電極が進出して加圧端面２４がフランジ３に当たると、副検知部材２８と電極本体１０は、フランジ３を介して導通状態になる。【００３８】  したがって、導通線３２、通電端子板３１、圧縮コイルスプリング３４、通電端面１９、主検知部材２７と副検知部材２８からなる検知部材、フランジ３、電極本体１０、他方の導通線３３からなる��通回路が形成される。この導通回路の通電をトリガーにして、溶接電流の通電がなされる。【００３９】  ボルト１が何等かの原因で供給されていない場合には、図１（Ｃ）に示した状態になる。副検知部材２８が突出したまま下孔８や受入孔６に入り込んで、加圧端面２４が鋼板部品７に密着する。この状態では、絶縁空隙２６の介在によって副検知部材２８と電極本体１０の導通がなされていないので、検知電流は通電されない。ボルト欠如の検知は色々な回路で実施することができるが、タイマーを用いるのが望ましい。すなわち、上記のような電極進出がなされてから、一定時間を経過したことを検知して、ボルト１の欠如を検知する。なお、上述の検知電流の不通電の動作から明らかなように、副検知部材２８の直径は、下孔８や受入孔６の内径よりも小さく設定してある。【００４０】  なお、上記の作動では、検知電流が導通線３２から導通線３３に向かって通電される。この通電方向を逆向きにして、導通線３３から導通線３２に向かって通電するようにしてもよい。【００４１】  以上に説明した実施例１の作用効果は、つぎのとおりである。【００４２】  固定電極５側にボルト１が正常に保持されているときに、電極の進出で副検知部材２８と加圧端面２４がフランジ３に密着すると、導通線３２、通電端子板３１、圧縮コイルスプリング３４、通電端面１９、主検知部材２７と副検知部材２８からなる検知部材、フランジ３、電極本体１０、導通線３３からなる導通回路が形成されるので、この導通によってボルト１が正常に固定電極５側に保持されていることが確認され、この確認信号をトリガーにして溶接電流の通電がなされて、溶接が完了する。【００４３】  検知部材は、主検知部材２７と副検知部材２８によって形成された簡素化された構造であるから、細長い金属素材に切削加工を施したり、主検知部材２８に副検知部材２８を結合したりして、簡単に製作することができる。上記のような製作方法を採用することによって、主検知部材２７から副検知部材２８への導電性が確実なものとなる。【００４４】  導通性金属材料で作られた主検知部材２７と副検知部材２８の形状は、主検知部材２７を円柱型とし、副検知部材２８を主検知部材２７よりも小径の丸棒型にすることができる。したがって、金属製の検知部材を大径部材と小径部材からなる簡素化された形状とすることができる。また、このように簡素化された形状の検知部材が、絶縁性合成樹脂材料で構成された主案内筒２０と副案内筒内２３に収容されているので、電極本体１０内には合成樹脂製の筒状部材と金属製の円柱・丸棒状部材が収容され、電極全体としての構造が簡素化される。【００４５】  主検知部材２７の端部に形成された通電端面１９は平坦な形状であるから、圧縮コイルスプリング３４の着座状態が密着性の良好なものとなり、圧縮コイルスプリング３４から主検知部材２７への通電性が良好なものとなる。主検知部材２７と副検知部材２８は、それぞれ主案内筒２０と副案内筒内２３を摺動するものであるから、検知部材の進退案内が確実に果たされるとともに、確実な絶縁性が確保できる。【００４６】  電極本体１０側の絶縁構造が、絶縁性合成樹脂材料製の主案内筒２０と副案内筒２３によるものである���ら、両案内筒２０、２３を簡素な形状の筒状部材で構成することができ、構造簡素化において効果的である。主案内筒２０と副案内筒２３が電極本体１０内に静止状態ではめ込まれ、両案内筒２０、２３内を簡素化された形状の主検知部材２７と副検知部材２８が摺動する。このため、両検知部材２７、２８の進退動作が円滑に達成され、電極としての作動信頼性が向上する。【００４７】  固定電極５側にボルト１が存在しないときには、電極進出の際に、突出している副検知部材２８がフランジ３に加圧されないので、上述のようなフランジ３を介した通電回路が不成立となって、ボルト欠如が検知され、溶接動作の停止が確実になされる。
【産業上の利用可能性】
【００４８】  上述のように、本発明の電極によれば、進退動作をする検知部材への通電性を向上し、構造を簡素化して、生産性向上、作動耐久性向上がなされる。したがって、自動車の車体溶接工程や、家庭電化製品の板金溶接工程などの広い産業分野で利用できる。
【符号の説明】
【００４９】  １    部品、プロジェクションボルト
２    軸部
３    フランジ
５    固定電極
６    受入孔
７    鋼板部品
８    下孔
１０    電極本体
１２    第１部材
１３    第２部材
１４    第３部材
１７    大径孔
１８    小径孔
１９    通電端面
２０    主案内筒
２３    副案内筒
２４    加圧端面
２５    連通孔
２６    絶縁空隙
２７    主検知部材
２８    副検知部材
３１    通電端子板
３２    導通線
３３    導通線
３４    圧縮コイルスプリング
Ｌ      突出長さ
【図１】
2020131285.tif 000003
【図２】
2020131285.tif 000004
【図３】
2020131285.tif 000005